(57)【要約】【課題】本発明は、連続給紙中の用紙切れの発生に画像形成性能を維持しつつ適切に対応するカラー画像形成装置及び画像形成制御方法に関する。【解決手段】カラー画像形成装置１は、給紙部１０の所定の給紙カセット１１、１２から所定の転写紙間隔で連続して転写紙を送給して画像形成を行っている途中に、使用中の給紙カセット１１、１２の転写紙残量が所定量以下になると、当該画像形成モードが露光開始タイミングが送給開始タイミングよりも前であるカラーモードであり、給紙部１０に現在使用中の転写紙と同一サイズの転写紙を収納する他の給紙カセット１１、１２があるときには、使用する給紙カセット１１、１２を当該他の給紙カセット１１、１２に変更して、当該他の給紙カセット１１、１２から転写紙間隔を維持した状態で転写紙を搬送する給紙カセット切換処理を行う。【選択図】          図１
2007240900.tif 000002
【特許請求の範囲】
【請求項１】
複数並んで配設され露光手段からそれぞれ各色用に露光されて各色用の静電潜像の形成される像担持体と、当該各色の像担持体の静電潜像に各色の現像剤を供給して現像剤像を形成する現像手段と、前記複数の像担持体に沿って回転可能に配設され当該各像担持体上の前記現像剤像が転写される中間転写体と、それぞれ複数枚の転写材を収納可能な複数の転写材トレイを有し選択された転写材トレイから転写材を１枚ずつ分離して送り出す転写材送給部と、当該転写材送給部から送り出された転写材に前記中間転写体上の前記現像剤像を転写位置で転写する転写手段と、を備え、全ての前記像担持体に各色の現像剤像を形成して最終的に前記転写位置で前記転写材にカラー画像を転写するカラーモードで、当該転写位置から最も遠い第１色の前記像担持体への露光開始タイミングが前記転写材トレイからの当該転写材の送給タイミングよりも前になり、前記複数の像担持体のうち所定の単色用の像担持体に当該色の現像剤像を形成して最終的に前記転写位置で前記転写材に当該色の画像を転写する単色モードで、当該単色用の像担持体への露光開始タイミングが前記転写材トレイからの当該転写材の送給タイミングよりも後になるカラー画像形成装置において、前記転写材トレイ内の転写材残量を検出する残量検知手段を備え、前記転写材送給部の所定の転写材トレイから所定の転写材間隔で連続して転写材を送給して画像形成を行っている途中に、前記残量検知手段が当該使用中の転写材トレイの転写材残量が所定量以下になったことを検知すると、当該画像形成モードが前記露光開始タイミングが前記送給開始タイミングよりも前である前記カラーモードであり、前記転写材送給部に当該使用中の転写材と同一サイズの転写材を収納する他の転写材トレイがあるときには、使用する転写材トレイを当該他の転写材トレイに変更して、当該他の転写材トレイから前記転写材間隔を維持した状態で転写材を搬送する転写材トレイ切換処理を行うことを特徴とするカラー画像形成装置。
【請求項２】
前記カラー画像形成装置は、所定の選択操作手段を備え、前記転写材トレイ切換処理として、前記転写材トレイの変更を、前記転写材残量が所定量以下になったことを前記残量検知手段が検知すると、速やかに行うのか、当該所定量以下になった転写材トレイの転写材が全て送給されるのを待って行うのかを、前記選択操作手段によって予め選択されている選択内容に応じて行う処理を実行することを特徴とする請求項１記載のカラー画像形成装置。
【請求項３】
前記カラー画像形成装置は、所定の報知手段を備え、前記転写材トレイ切換処理として、前記転写材トレイの変更を行うと、前記報知手段から前記変更前の転写材トレイへの前記送給中の転写材と同一サイズの転写材の補給を促す旨のメッセージを報知出力する処理を実行することを特徴とする請求項１または請求項２記載のカラー画像形成装置。
【請求項４】
前記カラー画像形成装置は、所定の報知手段を備え、前記転写材トレイ切換処理として、前記残量検知手段が前記転写材残量が所定量以下になったことを検知したときに、前記送給中の転写材と同一サイズの転写材を収納する他の転写材トレイがないときには、当該他の転写材トレイへの当該同一サイズの転写材の補給を促す旨のメッセージを報知出力する処理を実行することを特徴とする請求項１から請求項３のいずれかに記載のカラー画像形成装置。
【請求項５】
前記カラー画像形成装置は、前記転写材トレイ切換処理として、前記送給中の転写材と同一サイズの転写材を収納する他の転写材トレイがないときに、当該他の転写材トレイに当該同一サイズの転写材の補給が行われると、使用する転写材トレイを当該補給された転写材トレイに変更する処理を実行することを特徴とする請求項１から請求項４のいずれかに記載のカラー画像形成装置。
【請求項６】
前記カラー画像形成装置は、所定の報知手段と、所定の処理選択操作手段を備え、前記転写材トレイ切換処理として、前記残量検知手段が前記転写材残量が所定量以下になったことを検知したときに、前記送給中の転写材と同一サイズの転写材を収納する他の転写材トレイがない場合に、当該他の転写材トレイへの当該同一サイズの転写材の補給を促す旨のメッセージを前記報知手段から報知出力する報知処理と作像間隔を長くする作像間隔調整処理のうち、前記処理選択操作手段によって予め選択されている処理を実行する処理を行うことを特徴とする請求項１から請求項５のいずれかに記載のカラー画像形成装置。
【請求項７】
前記カラー画像形成装置は、前記転写材トレイ切換処理として、前記画像形成モードが前記露光開始タイミングが前記送給開始タイミングよりも後になる前記単色モードであると、前記転写材送給部に当該送給中の転写材と同一サイズの転写材を収納する他の転写材トレイがあっても、少なくとも当該使用中の転写材トレイの転写材を全て送給するまで、転写材トレイの切り換えを禁止する処理を実行することを特徴とする請求項１から請求項６のいずれかに記載のカラー画像形成装置。
【請求項８】
複数並んで配設され露光手段からそれぞれ各色用に露光されて各色用の静電潜像の形成される像担持体と、当該各色の像担持体の静電潜像に各色の現像剤を供給して現像剤像を形成する現像手段と、前記複数の像担持体に沿って回転可能に配設され当該各像担持体上の前記現像剤像が転写される中間転写体と、それぞれ複数枚の転写材を収納可能な複数の転写材トレイを有し選択された転写材トレイから転写材を１枚ずつ分離して送り出す転写材送給部と、当該転写材送給部から送り出された転写材に前記中間転写体上の前記現像剤像を転写位置で転写する転写手段と、を備え、全ての前記像担持体に各色の現像剤像を形成して最終的に前記転写位置で前記転写材にカラー画像を転写するカラーモードで、当該転写位置から最も遠い第１色の像担持体への露光開始タイミングが前記転写材トレイからの当該転写材の送給タイミングよりも前になり、前記複数の像担持体のうち所定の単色用の像担持体に当該色の現像剤像を形成して最終的に前記転写位置で前記転写材に当該色の画像を転写する単色モードで、当該単色用の像担持体への露光開始タイミングが前記転写材トレイからの当該転写材の送給タイミングよりも後になるカラー画像形成装置の画像形成制御方法であって、前記転写材送給部の所定の転写材トレイから所定の転写材間隔で連続して転写材を送給して画像形成を行っている途中に、転写材トレイ内の転写材残量を検出する残量検知手段が当該使用中の転写材トレイの転写材残量が所定量以下になったことを検知すると、請求項１から請求項７に記載の転写材トレイ切換処理を実行することを特徴とする画像形成制御方法。
【発明の詳細な説明】
【技術分野】
【０００１】
本発明は、カラー画像形成装置及び画像形成制御方法に関し、詳細には、連続給紙中の用紙切れの発生に対して画像形成性能を維持しつつ適切に対応する複写装置、プリンタ等のカラー画像形成装置及び画像形成制御方法に関する。
【背景技術】
【０００２】
近年、画像形成装置は、フルカラー化とともに、高速化が要望され、当該要望に応える画像形成装置として、電子写真方式の光書込部と画像形成部を複数並置して画像を重ね合わせてフルカラー画像を形成する、いわゆるタンデム型と称されるカラー画像形成装置が普及してきている。
【０００３】
このタンデム型のカラー画像形成装置は、シアン、マゼンタ、イエロー及びブラックの各色の画像を形成する画像形成部と光書込部を備え、各色の画像データにより変調されたレーザを光書込部から各色の画像形成部の感光体に照射して潜像を形成し、各色の画像形成部は、この潜像の形成された感光体に各色のトナーを供給して、各色のトナー画像を現像する。
【０００４】
そして、タンデム型のカラー画像形成装置には、画像形成部の各色の感光体に形成した各色のトナー画像を最終的に用紙に転写する方式として、直接転写方式と中間転写方式の２種類の方式がある。
【０００５】
直接転写方式のカラー画像形成装置は、給紙部の複数の給紙トレイのうちの１つの給紙トレイから送り出され、搬送ベルト上を搬送されてくる用紙に各色の画像形成部の感光体上の各色のトナー画像を順次重ね合わせて転写して、用紙上にカラー画像を形成する。
【０００６】
一方、中間転写方式のカラー画像形成装置は、各色の画像形成部に沿って回転可能に中間転写ベルトが配設され、この回転する中間転写ベルトに、各色の画像形成部の感光体上の各色のトナー画像を順次重ね合わせて転写して、中間転写ベルト上にフルカラー画像を形成し、当該中間転写ベルト上のフルカラー画像を、給紙部の複数の給紙トレイのうちの１つの給紙トレイから搬送されてきた用紙に転写して、用紙上にカラー画像を形成する。
【０００７】
そして、中間転写方式の画像形成装置においては、画像形成パス（第１色目の感光体上の露光位置から用紙への転写位置までの総像搬送距離）が長くなり、給紙トレイの位置によっては、給紙を開始する前に画像形成部での作像動作を開始することが必要となる。
【０００８】
このように給紙を開始する前に作像動作を開始する場合、複数の画像を連続して形成するために所定の給紙間隔で連続して給紙を行う連続給紙において、給紙トレイ内の用紙が無くなってペーパーエンドが検知された時点で、既に次の用紙の画像のための作像動作を開始してしまっており、当該作像したトナーが無駄になるだけでなく、クリーニングを必要とするという問題がある。
【０００９】
そこで、従来、用紙の給紙を行っている給紙トレイの用紙の残量が所定値以下になると、現在使用中の給紙トレイを含む複数の給紙トレイから給紙を可能として、現在の給紙間隔を維持して給紙する画像形成装置が提案されている（特許文献１参照）。
【００１０】
また、従来、用紙の給紙を行っている給紙トレイの用紙の残量が所定値以下になると、他の給紙トレイに同サイズの記録紙の収納されている給紙トレイがあると、当該他の給紙トレイから給紙を行う給紙装置が提案されている（特許文献２参照）。
【００１１】
さらに、従来、像担持体（感光体等）の露光位置から中間転写体上のトナー画像を給紙部から搬送されてくる記録紙に転写する２次転写位置までの画像形成距離が給紙トレイに収納されている記録紙の先端位置から２次転写位置までの給紙距離よりも長く、給紙トレイからの記録紙の紙間距離が通常設定である場合に、像担持体への露光開始タイミングが給紙トレイから記録紙をピークアップする前になる画像形成装置において、連続給紙中の給紙トレイ内の記録紙残量が所定量以下になったことが検出されると、連続給紙中の紙間距離を通常設定よりも長く制御したり、他の給紙トレイに同一サイズの記録紙が収納されている場合には、当該他の給紙トレイから記録紙を給紙する画像形成装置が提案されている（特許文献３参照）。
【００１２】
【特許文献１】特開平１１−１８８９４７号公報
【特許文献２】特開２００５−４９５１６号公報
【特許文献３】特開２００２−３２３８３９号公報
【発明の開示】
【発明が解決しようとする課題】
【００１３】
しかしながら、上記特許文献１記載の従来技術にあっては、複数の給紙トレイからの給紙を可能としているが、現在使用中の給紙トレイ以外の他の給紙トレイの用紙切れ時に、既に作像動作が開始されている場合、すなわち、ペーパーエンド検知時に、存在しない用紙に対する作像動作が始まっている場合があり、このような場合、感光体上または中間転写ベルト上に形成されたトナー像を、上述のように、全てクリーニング部でクリーニングする必要があり、当該作像したトナーが無駄になるだけでなく、クリーニングを必要とするという問題を適切に解決することができない場合がある。
【００１４】
また、特許文献２記載の従来技術にあっては、複数の給紙トレイからの給紙を可能としているが、連続給紙中の紙間距離については、考慮されておらず、画像形成の生産性を向上させる上で、改良の必要があった。
【００１５】
さらに、特許文献３記載の従来技術にあっては、連続給紙中の記録紙と同一サイズの記録紙が他の給紙トレイにあると、当該他の給紙トレイから給紙を行い、同一サイズの記録紙が他の給紙トレイにないときには、紙間距離を長くしているため、用紙切れを原因とする生産性の低下をある程度回避することはできるが、なお、生産性を向上させる上で、改良の必要があった。
【００１６】
そこで、本発明は、転写材がなくなったことで、像担持体に無駄な現像剤像が形成されることを防止して、クリーニング作業の発生を適切に防止することができるとともに、転写材間隔を一定に保ちつつ連続作像を維持して、生産性を向上させることのできるカラー画像形成装置及び画像形成制御方法を提供することを目的としている。
【課題を解決するための手段】
【００１７】
請求項１記載の発明のカラー画像形成装置は、複数並んで配設され露光手段からそれぞれ各色用に露光されて各色用の静電潜像の形成される像担持体と、当該各色の像担持体の静電潜像に各色の現像剤を供給して現像剤像を形成する現像手段と、前記複数の像担持体に沿って回転可能に配設され当該各像担持体上の前記現像剤像が転写される中間転写体と、それぞれ複数枚の転写材を収納可能な複数の転写材トレイを有し選択された転写材トレイから転写材を１枚ずつ分離して送り出す転写材送給部と、当該転写材送給部から送り出された転写材に前記中間転写体上の前記現像剤像を転写位置で転写する転写手段と、を備え、全ての前記像担持体に各色の現像剤像を形成して最終的に前記転写位置で前記転写材にカラー画像を転写するカラーモードで、当該転写位置から最も遠い第１色の前記像担持体への露光開始タイミングが前記転写材トレイからの当該転写材の送給タイミングよりも前になり、前記複数の像担持体のうち所定の単色用の像担持体に当該色の現像剤像を形成して最終的に前記転写位置で前記転写材に当該色の画像を転写する単色モードで、当該単色用の像担持体への露光開始タイミングが前記転写材トレイからの当該転写材の送給タイミングよりも後になるカラー画像形成装置において、前記転写材トレイ内の転写材残量を検出する残量検知手段を備え、前記転写材送給部の所定の転写材トレイから所定の転写材間隔で連続して転写材を送給して画像形成を行っている途中に、前記残量検知手段が当該使用中の転写材トレイの転写材残量が所定量以下になったことを検知すると、当該画像形成モードが前記露光開始タイミングが前記送給開始タイミングよりも前である前記カラーモードであり、前記転写材送給部に当該使用中の転写材と同一サイズの転写材を収納する他の転写材トレイがあるときには、使用する転写材トレイを当該他の転写材トレイに変更して、当該他の転写材トレイから前記転写材間隔を維持した状態で転写材を搬送する転写材トレイ切換処理を行うことにより、上記目的を達成している。
【００１８】
この場合、例えば、請求項２に記載するように、前記カラー画像形成装置は、所定の選択操作手段を備え、前記転写材トレイ切換処理として、前記転写材トレイの変更を、前記転写材残量が所定量以下になったことを前記残量検知手段が検知すると、速やかに行うのか、当該所定量以下になった転写材トレイの転写材が全て送給されるのを待って行うのかを、前記選択操作手段によって予め選択されている選択内容に応じて行う処理を実行するものであってもよい。
【００１９】
また、例えば、請求項３に記載するように、前記カラー画像形成装置は、所定の報知手段を備え、前記転写材トレイ切換処理として、前記転写材トレイの変更を行うと、前記報知手段から前記変更前の転写材トレイへの前記送給中の転写材と同一サイズの転写材の補給を促す旨のメッセージを報知出力する処理を実行するものであってもよい。
【００２０】
さらに、例えば、請求項４に記載するように、前記カラー画像形成装置は、所定の報知手段を備え、前記転写材トレイ切換処理として、前記残量検知手段が前記転写材残量が所定量以下になったことを検知したときに、前記送給中の転写材と同一サイズの転写材を収納する他の転写材トレイがないときには、当該他の転写材トレイへの当該同一サイズの転写材の補給を促す旨のメッセージを報知出力する処理を実行するものであってもよい。
【００２１】
また、例えば、請求項５に記載するように、前記カラー画像形成装置は、前記転写材トレイ切換処理として、前記送給中の転写材と同一サイズの転写材を収納する他の転写材トレイがないときに、当該他の転写材トレイに当該同一サイズの転写材の補給が行われると、使用する転写材トレイを当該補給された転写材トレイに変更する処理を実行するものであってもよい。
【００２２】
さらに、例えば、請求項６に記載するように、前記カラー画像形成装置は、所定の報知手段と、所定の処理選択操作手段を備え、前記転写材トレイ切換処理として、前記残量検知手段が前記転写材残量が所定量以下になったことを検知したときに、前記送給中の転写材と同一サイズの転写材を収納する他の転写材トレイがない場合に、当該他の転写材トレイへの当該同一サイズの転写材の補給を促す旨のメッセージを前記報知手段から報知出力する報知処理と作像間隔を長くする作像間隔調整処理のうち、前記処理選択操作手段によって予め選択されている処理を実行する処理を行うものであってもよい。
【００２３】
また、例えば、請求項７に記載するように、前記カラー画像形成装置は、前記転写材トレイ切換処理として、前記画像形成モードが前記露光開始タイミングが前記送給開始タイミングよりも後になる前記単色モードであると、前記転写材送給部に当該送給中の転写材と同一サイズの転写材を収納する他の転写材トレイがあっても、少なくとも当該使用中の転写材トレイの転写材を全て送給するまで、転写材トレイの切り換えを禁止する処理を実行するものであってもよい。
【００２４】
請求項８記載の発明の画像形成制御方法は、複数並んで配設され露光手段からそれぞれ各色用に露光されて各色用の静電潜像の形成される像担持体と、当該各色の像担持体の静電潜像に各色の現像剤を供給して現像剤像を形成する現像手段と、前記複数の像担持体に沿って回転可能に配設され当該各像担持体上の前記現像剤像が転写される中間転写体と、それぞれ複数枚の転写材を収納可能な複数の転写材トレイを有し選択された転写材トレイから転写材を１枚ずつ分離して送り出す転写材送給部と、当該転写材送給部から送り出された転写材に前記中間転写体上の前記現像剤像を転写位置で転写する転写手段と、を備え、全ての前記像担持体に各色の現像剤像を形成して最終的に前記転写位置で前記転写材にカラー画像を転写するカラーモードで、当該転写位置から最も遠い第１色の像担持体への露光開始タイミングが前記転写材トレイからの当該転写材の送給タイミングよりも前になり、前記複数の像担持体のうち所定の単色用の像担持体に当該色の現像剤像を形成して最終的に前記転写位置で前記転写材に当該色の画像を転写する単色モードで、当該単色用の像担持体への露光開始タイミングが前記転写材トレイからの当該転写材の送給タイミングよりも後になるカラー画像形成装置の画像形成制御方法であって、前記転写材送給部の所定の転写材トレイから所定の転写材間隔で連続して転写材を送給して画像形成を行っている途中に、転写材トレイ内の転写材残量を検出する残量検知手段が当該使用中の転写材トレイの転写材残量が所定量以下になったことを検知すると、請求項１から請求項７に記載の転写材トレイ切換処理を実行することにより、上記目的を達成している。
【発明の効果】
【００２５】
本発明のカラー画像形成装置によれば、転写材送給部の所定の転写材トレイから所定の転写材間隔で連続して転写材を送給して画像形成を行っている途中に、当該使用中の転写材トレイの転写材残量が所定量以下になると、当該画像形成モードが露光開始タイミングが送給開始タイミングよりも前であるカラーモードであり、転写材送給部に当該使用中の転写材と同一サイズの転写材を収納する他の転写材トレイがあるときには、使用する転写材トレイを当該他の転写材トレイに変更して、当該他の転写材トレイから転写材間隔を維持した状態で転写材を搬送する転写材トレイ切換処理を行うので、転写材がなくなったことで、像担持体に無駄な現像剤像が形成されることを適切に防止して、無駄に形成された現像剤像をクリーニングするクリーニング作業の発生を適切に防止することができるとともに、転写材間隔を一定に保ちつつ連続作像を維持することができ、生産性を向上させることができる。
【００２６】
本発明の画像形成制御方法によれば、転写材送給部の所定の転写材トレイから所定の転写材間隔で連続して転写材を送給して画像形成を行っている途中に、当該使用中の転写材トレイの転写材残量が所定量以下になると、当該画像形成モードが露光開始タイミングが送給開始タイミングよりも前であるカラーモードであり、転写材送給部に当該使用中の転写材と同一サイズの転写材を収納する他の転写材トレイがあるときには、使用する転写材トレイを当該他の転写材トレイに変更して、当該他の転写材トレイから転写材間隔を維持した状態で転写材を搬送する転写材トレイ切換処理を行うので、転写材がなくなったことで、像担持体に無駄な現像剤像が形成されることを適切に防止して、無駄に形成された現像剤像をクリーニングするクリーニング作業の発生を適切に防止することができるとともに、転写材間隔を一定に保ちつつ連続作像を維持することができ、生産性を向上させることができる。
【発明を実施するための最良の形態】
【００２７】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２８】
図１〜図５は、本発明のカラー画像形成装置及び画像形成制御方法の一実施例を示す図であり、図１は、本発明のカラー画像形成装置及び画像形成制御方法の一実施例を適用したカラー画像形成装置１の要部概略構成図である。
【００２９】
図１において、カラー画像形成装置１は、本体筐体内に、給紙部１０、中間転写ベルト２０、中間転写ベルト２０に沿って配設されているイエロー（Ｙ）、マゼンタ（Ｍ）、シアン（Ｃ）及びブラック（Ｋ）の各色の画像形成部３０Ｙ、３０Ｍ、３０Ｃ、３０Ｋ、光書込部４０及び転写ローラ５０等を備えており、これらの他に、図示しないが、カラー画像形成装置１の各部を制御する制御部やモータ及びモータにより駆動される各部に駆動源を伝達する駆動機構部、定着部、操作表示部等を備えている。カラー画像形成装置１は、中間転写方式を用いたタンデム型のカラー画像形成装置であり、カラープリンタ装置、カラーファクシミリ装置、カラー複写装置、カラー複合装置等である。
【００３０】
給紙部（転写材送給部）１０は、２つの給紙カセット（転写材トレイ）１１、１２、搬送ローラ対１３、１４及びレジストローラ対１５等を備えており、給紙カセット１１、１２には、それぞれ同一サイズまたは異なるサイズの複数枚の転写紙（転写材）が収納される。給紙部１０は、２つの給紙カセット１１、１２のうち選択された給紙カセット１１、１２内の転写紙を、図示しない送り出し機構（例えば、給紙コロと分離部材）で１枚ずつ分離して送り出し、給紙カセット１１、１２から送り出された転写紙を搬送ローラ対１３、１４でレジストローラ対１５に搬送する。レジストローラ対１５は、搬送ローラ対１３、１４により搬送されてきた転写紙をタイミング調整して、中間転写ベルト２０と転写ローラ５０との接触位置である転写位置に搬送する。
【００３１】
そして、図示しないが、給紙部１０には、各給紙カセット１１、１２にそれぞれ転写紙残量検出センサ（残量検知手段）が設けられており、転写紙残量検出センサは、各給紙カセット１１、１２内の転写紙の残量を検出する。
【００３２】
また、カラー画像形成装置１は、画像形成動作中においても、給紙部１０の各給紙カセット１１、１２をそれぞれ独立して本体筐体から引き出して、転写紙の補給が可能な構造となっている。
【００３３】
中間転写ベルト２０は、無端ベルト状に形成され、図示しない搬送機構により回転可能に保持されて、図１の反時計方向に搬送される。
【００３４】
各色の画像形成部３０Ｙ、３０Ｍ、３０Ｃ、３０Ｋは、各色の感光体３１Ｙ、３１Ｍ、３１Ｃ、３１Ｋが中間転写ベルト２０の搬送方向に沿って所定間隔で配設されており、これらの感光体３１Ｙ、３１Ｍ、３１Ｃ、３１Ｋの周囲に、それぞれ現像部３２Ｙ、３２Ｍ、３２Ｃ、３２Ｋ及び図示しない帯電部、転写部、クリーニング部、除電部等が配設されている。
【００３５】
各画像形成部３０Ｙ、３０Ｍ、３０Ｃ、３０Ｋは、その感光体３１Ｙ、３１Ｍ、３１Ｃ、３１Ｋが、図外の駆動機構により図１の時計方向に回転駆動され、カラーモードでは、この回転される各感光体３１Ｙ、３１Ｍ、３１Ｃ、３１Ｋに、帯電部で一様に帯電された後、光書込部４０から各色用の画像データに基づいて変調されたレーザ光が所定の露光位置に照射されて露光されることで、それぞれ静電潜像が形成され、また、単色モードでは、当該色用の感光体３１Ｙ、３１Ｍ、３１Ｃ、３１Ｋに対して、光書込部４０から当該色用の画像データに基づいて変調されたレーザ光が所定の露光位置に照射されて露光されることで、当該色用の静電潜像が形成される。例えば、画像形成部３０Ｙ、３０Ｍ、３０Ｃ、３０Ｋは、モノクロモードでは、ブラック用の感光体３１Ｋに光書込部４０からモノクロ用の画像データに基づいて変調されたレーザ光が所定の露光位置に照射されて露光されることで、モノクロ用の静電潜像が形成される。
【００３６】
画像形成部３０Ｙ、３０Ｍ、３０Ｃ、３０Ｋは、静電潜像が形成されると、当該静電潜像の形成された感光体３１Ｙ、３１Ｍ、３１Ｃ、３１Ｋに、現像部３２Ｙ、３２Ｍ、３２Ｃ、３２Ｋで、それぞれイエロー（Ｙ）、マゼンタ（Ｍ）、シアン（Ｃ）及びブラック（Ｋ）の各色のトナー（現像剤）を付着させて、各色のトナー像（現像剤像）を形成する。そして、画像形成部３０Ｙ、３０Ｍ、３０Ｃ、３０Ｋは、感光体３１Ｙ、３１Ｍ、３１Ｃ、３１Ｋ上のトナー像が中間転写ベルト２０との接触位置にくると、中間転写ベルト２０の背面に配設された転写部が、転写電位を付与して、カラーモードでは、感光体３１Ｙ、３１Ｍ、３１Ｃ、３１Ｋ上のイエロー（Ｙ）、マゼンタ（Ｍ）、シアン（Ｃ）及びブラック（Ｋ）の各色のトナー画像を順次中間転写ベルト２０上に重ね合わせて転写させて、カラーのトナー画像を形成し、単色モードでは、当該色の感光体３１Ｙ、３１Ｍ、３１Ｃ、３１Ｋのトナー画像を中間転写ベルト２０に転写させて単色のトナー画像を形成する。
【００３７】
画像形成部３０Ｙ、３０Ｍ、３０Ｃ、３０Ｋは、トナー画像の転写の完了した感光体３１Ｙ、３１Ｍ、３１Ｃ、３１Ｋ上の残留トナーをクリーニング部でクリーニングし、除電部で感光体３１Ｙ、３１Ｍ、３１Ｃ、３１Ｋを除電した後、再度、帯電部で帯電させて、次の作像動作を行う。
【００３８】
中間転写ベルト２０は、回転駆動されることで、転写されたトナー画像を転写ローラ５０との転写位置に搬送し、転写ローラ５０は、この転写位置に給紙部１０から搬送されてきた転写紙に、圧力と転写電位を印加することで、転写する。
【００３９】
そして、画像形成部３０Ｙ、３０Ｍ、３０Ｃ、３０Ｋは、上記作像動作において、カラーモードでは、画像形成部３０Ｙ、３０Ｍ、３０Ｃ、３０Ｋのうち、転写位置から最も遠いイエロー（Ｙ）を第１作像色として、当該イエロー（Ｙ）の画像形成部３０Ｙの感光体３１Ｙから露光を開始して静電潜像を形成して上記トナー画像を形成し、順次、マゼンタ（Ｍ）の画像形成部３０Ｍ、シアン（Ｃ）の画像形成部３０Ｃ及びブラックの画像形成部３０Ｋの順にトナー画像を形成する作像動作を行って、各色の感光体３１Ｙ、３１Ｍ、３１Ｃ、３１Ｋ上のトナー画像を上述のように中間転写ベルト２０上に重ね合わせて転写する。
【００４０】
また、画像形成部３０Ｙ、３０Ｍ、３０Ｃ、３０Ｋは、単色モード、例えば、モノクロモードでは、ブラック（Ｋ）の画像形成部３０Ｋの感光体３１Ｋに露光を行って静電潜像を形成して上記トナー画像を形成し、当該ブラックの感光体３１Ｋ上のトナー画像を上述のように中間転写ベルト２０上に転写する。
【００４１】
そして、カラー画像形成装置１は、図２に示すように、カラーモードにおいて、画像形成部３０Ｙ、３０Ｍ、３０Ｃ、３０Ｋのうち、転写位置から最も遠く最初に作像される色（第１作像色）であるイエロー（Ｙ）の画像形成部３０Ｙの感光体３１Ｙへの露光位置から転写紙への転写位置まで像を搬送するカラーモード像搬送距離Ｘが、給紙カセット１１、１２の転写紙の先端位置から転写位置までの転写紙搬送距離（転写材搬送距離）Ｙよりも長くなっており、また、モノクロモードにおいて、作像される色（モノクロ第１作像色）であるブラック（Ｂ）の画像形成部３０Ｋの感光体３１Ｋへの露光位置から転写紙への転写位置まで像を搬送するモノクロモード像搬送距離Ｚが、転写紙搬送距離Ｙよりも短くなっている。
【００４２】
カラー画像形成装置１は、その操作表示部には、カラー画像形成装置１に各種動作を行わせるのに必要な操作キー、液晶ディスプレイ等の表示部６０（図４、図５参照）及び音声を拡声出力するスピーカ（報知手段）等が設けられており、操作キーとしては、特に、後述する給紙カセット切換処理において、給紙カセット１１、１２の切り換えを、転写紙残量検出センサが現在使用中の給紙カセット１１、１２の転写紙の残量が予め設定されている所定量以下になったことを検出した時点で速やかに給紙カセット１１、１２の切り換えを行うのか、現在使用中の給紙カセット１１、１２の転写紙が全て給紙されるのを待ってから給紙カセット１１、１２の切り換えを行うのかを予め選択設定する切換設定キー（選択操作手段）、転写紙残量検出センサが現在使用中の給紙カセット１１、１２の転写紙の残量が予め設定されている所定量以下になったことを検出したときに、現在送給中の転写紙と同一サイズの転写紙を収納する他の給紙カセット１１、１２がない場合に、当該他の給紙カセット１１、１２への当該同一サイズの転写紙の補給を促す旨のメッセージを表示部６０に表示出力またはスピーカから音声出力する報知処理と転写紙間隔を長くして作像間隔を長くする作像間隔調整処理のうち、いずれの処理を行うかを予め選択設定する処理選択キー（処理選択操作手段）等を備えている。
【００４３】
次に、本実施例の作用を説明する。本実施例のカラー画像形成装置１は、連続給紙して中に現在給紙中の給紙カセット１１、１２の転写紙の残量が所定量以下になると、設定に応じて、同じ紙サイズの転写紙を収納している他の給紙カセット１１、１２に使用する給紙カセット１１、１２を切り換えて、転写紙間隔を変更することなく、給紙を行う給紙カセット切換処理を行う。
【００４４】
すなわち、カラー画像形成装置１は、図３に示すように、所定の転写紙間隔で、給紙カセット１１、１２のうちの一方から転写紙を連続給紙して、画像形成を行っているときに（ステップＳ１０１）、当該給紙中の給紙カセット１１、１２の転写紙残量検出センサが当該給紙カセット１１、１２の転写紙の残量が予め設定されている所定量以下になったかチェックし（ステップＳ１０２）、転写紙の残量が所定量よりも多いときには、連続給紙を継続して画像形成装置を行う（ステップＳ１０１）。
【００４５】
ステップＳ１０２で、転写紙残量が所定量以下になると、画像形成部３０Ｙ、３０Ｍ、３０Ｃ、３０Ｋのうち、最初に作像される色（第１作像色）の画像形成部３０Ｙ、３０Ｍ、３０Ｃ、３０Ｋの感光体３１Ｙ、３１Ｍ、３１Ｃ、３１Ｋへの露光位置から転写紙への転写位置まで像を搬送する像搬送距離が、現在使用中の給紙カセット１１、１２の転写紙の先端位置から転写位置までの転写紙搬送距離（転写材搬送距離）よりも長いかチェックする（ステップＳ１０３）。
【００４６】
すなわち、図２に示したように、カラー画像形成装置１では、画像形成モードがカラーモードであると、第１作像色の感光体３１Ｙへの露光位置から転写紙への転写位置までの像搬送距離がカラーモード像搬送距離Ｘとなり、転写紙搬送距離Ｙよりも長い状態となって、この感光体３１Ｙへの露光タイミングが、給紙カセット１１、１２から転写紙の給紙を開始する給紙タイミングよりも前になり、画像形成モードがモノクロモードであると、第１作像色の感光体３１Ｋへの露光位置から転写紙への転写位置までの像搬送距離がモノクロモード像搬送距離Ｚとなり、転写紙搬送距離Ｙよりも短くなって、感光体３１Ｋへの露光タイミングが給紙タイミングよりも後になる。
【００４７】
いま、画像形成モードがモノクロモードであると、第１作像色の感光体３１Ｋへの露光位置から転写紙への転写位置までの像搬送距離がモノクロモード像搬送距離Ｚとなり、転写紙搬送距離Ｙよりも短いため、給紙部１０の給紙カセット１１、１２から転写紙の給紙を開始した後に、感光体３１Ｋへの露光を開始（すなわち、画像形成部３０Ｋでの作像を開始）するので、確実に現在給紙中の給紙カセット１１、１２に転写紙があることを確認しながら給紙を行って、用紙切れに備えるために、カラー画像形成装置１は、他に現在送給中の転写紙サイズと同じサイズの転写紙を収納している給紙カセット１１、１２があっても、給紙カセット１１、１２の切り換えを行うことなく、ステップＳ１０１に戻って、現在給紙中の給紙カセット１１、１２からの給紙を継続して、画像形成を行う（ステップＳ１０１）。
【００４８】
ステップＳ１０３で、いま、画像形成モードがカラーモードであると、第１作像色の感光体３１Ｙへの露光位置から転写紙への転写位置までの像搬送距離がカラーモード像搬送距離Ｘとなり、転写紙搬送距離Ｙよりも長いため、給紙部１０の給紙カセット１１、１２から転写紙の給紙を開始する前に、感光体３１Ｙへの露光を開始（すなわち、画像形成部３０Ｙでの作像を開始）するので、給紙カセット１１、１２の転写紙が無くなったことを検知した時点では、画像形成部３０Ｙで作像を開始しており、無駄なトナー消費となるおそれがある。
【００４９】
そこで、この場合には、カラー画像形成装置１は、現在給紙中の転写紙と同じサイズの転写紙を収納している給紙カセット１１、１２があるかチェックし（ステップＳ１０４）、同じサイズの転写紙を収納している給紙カセット１１、１２が他にあるときには、操作表示部の切換設定キーで給紙カセット切換が有効に設定されているかチェックする（ステップＳ１０５）。
【００５０】
ステップＳ１０５で、給紙カセット切換が無効に設定されているときには、カラー画像形成装置１は、現在使用中の給紙カセット１１、１２の切り換えを行うことなく、ステップＳ１０１に戻って、現在給紙中の給紙カセット１１、１２からの給紙を継続して、画像形成を行う（ステップＳ１０１）。
【００５１】
ステップＳ１０５で、給紙カセット切換が有効に設定されているときには、カラー画像形成装置１は、現在使用中の給紙カセット１１、１２から同じサイズの転写紙の収納されている給紙カセット１１、１２に使用する給紙カセット１１、１２を切り換えて、ステップＳ１０１に戻って、変更した給紙カセット１１、１２から、転写紙間隔を維持した状態で給紙を継続して、画像形成を行うとともに（ステップＳ１０１）、最初に給紙していた給紙カセット１１、１２への転写紙の補給を促す旨のメッセージを、例えば、図４に示すように、操作表示部の表示部６０に表示出力することで、または、スピーカからその旨のメッセージを拡声出力することで、報知出力して給紙カセット切換処理を終了する（ステップＳ１０７）。なお、図４では、給紙カセット１１を上段給紙カセット、給紙カセット１２を下段給紙カセットとして、現在使用中の給紙カセット１１、１２が上段の給紙カセット１１であるものとして、当該上段給紙カセットへの用紙の補給を促す表示を行っている。
【００５２】
ステップＳ１０４で、現在給紙中の転写紙と同じサイズの転写紙を収納している給紙カセット１１、１２が他に無いときには、カラー画像形成装置１は、現在給紙中以外の他の給紙カセット１１、１２への現在給紙中の転写紙と同じサイズの転写紙の補給を促す旨のメッセージを、例えば、図５に示すように、操作表示部の表示部６０に表示出力することで、または、スピーカからその旨のメッセージを拡声出力することで、報知出力する（ステップＳ１０８）。カラー画像形成装置１は、当該報知出力に応じて、他の給紙カセット１１、１２に現在給紙中の転写紙と同じサイズの転写紙が補給されると（ステップＳ１０９）、転写紙の補給された他の給紙カセット１１、１２に使用する給紙カセット１１、１２を切り換えて（ステップＳ１１０）、ステップＳ１０１に戻って、変更した給紙カセット１１、１２から、転写紙間隔を維持した状態で給紙を継続して、画像形成を行う（ステップＳ１０１）。なお、図５では、給紙カセット１１を上段給紙カセット、給紙カセット１２を下段給紙カセットとして、他の給紙カセット１１、１２が下段の給紙カセット１２であるものとして、当該下段給紙カセットへ用紙として、Ａ４用紙の補給を促す表示を行っている。
【００５３】
このように、本実施例のカラー画像形成装置１は、給紙部１０の所定の給紙カセット１１、１２から所定の転写紙間隔で連続して転写紙を送給して画像形成を行っている途中に、当該使用中の給紙カセット１１、１２の転写紙残量が所定量以下になると、当該画像形成モードが露光開始タイミングが送給開始タイミングよりも前であるカラーモードであり、給紙部１０に当該使用中の転写紙と同一サイズの転写紙を収納する他の給紙カセット１１、１２があるときには、使用する給紙カセット１１、１２を当該他の給紙カセット１１、１２に変更して、当該他の給紙カセット１１、１２から転写紙間隔を維持した状態で転写紙を搬送する給紙カセット切換処理を行っている。
【００５４】
したがって、転写紙がなくなったことで、感光体３１Ｙ、３１Ｍ、３１Ｃ、３１Ｋに無駄なトナー像が形成されることを防止することができ、無駄に形成されたトナー像をクリーニングするクリーニング作業の発生を適切に防止することができるとともに、転写紙間隔を一定に保ちつつ連続作像を維持することができ、生産性を向上させることができる。
【００５５】
また、本実施例のカラー画像形成装置１は、給紙カセット切換処理として、給紙カセット１１、１２の変更を行うと、変更前の給紙カセット１１、１２への現在給紙中の転写紙と同じサイズの転写紙の補給を促す旨のメッセージを操作表示部の表示部６０に表示出力することで、または、スピーカからその旨のメッセージを拡声出力することで、報知出力している。
【００５６】
したがって、多数枚の画像形成を行っている場合に、変更後の給紙カセット１１、１２の転写紙が所定枚数以下になった場合に、元の給紙カセット１１、１２に給紙カセットの切り換えを行えるようにすることができ、より一層生産性を向上させることができる。
【００５７】
さらに、カラー画像形成装置１は、給紙カセット切換処理として、転写紙残量検出センサが転写紙残量が所定量以下になったことを検知したときに、送給中の転写紙と同一サイズの転写紙を収納する他の給紙カセット１１、１２がないときには、現在給紙中以外の他の給紙カセット１１、１２への現在給紙中の転写紙と同じサイズの転写紙の補給を促す旨のメッセージを操作表示部の表示部６０に表示出力することで、または、スピーカからその旨のメッセージを拡声出力することで、報知出力する処理を実行している。
【００５８】
したがって、報知によって転写紙が補給されると、使用中の給紙カセット１１、１２の転写紙が無くなる前に、給紙カセット１１、１２の切り換えを行って、無駄に形成されたトナー像をクリーニングするクリーニング作業の発生を適切に防止することができるとともに、転写紙間隔を一定に保ちつつ連続作像を維持することができ、生産性を向上させることができる。
【００５９】
また、カラー画像形成装置１は、給紙カセット切換処理として、送給中の転写紙と同一サイズの転写紙を収納する他の給紙カセット１１、１２がないときに、当該他の給紙カセット１１、１２に当該同一サイズの転写紙の補給が行われると、使用する給紙カセット１１、１２を当該補給された給紙カセット１１、１２に変更する処理を行っている。
【００６０】
したがって、転写紙の残量が減っても、転写紙が補充された場合に、適切に給紙カセット１１、１２の切り換えを行って、無駄に形成されたトナー像をクリーニングするクリーニング作業の発生を適切に防止することができるとともに、転写紙間隔を一定に保ちつつ連続作像をより一層適切に維持することができ、生産性をより一層向上させることができる。
【００６１】
なお、ステップＳ１０８の転写紙の補給報知に応じて転写紙が補給された場合であっても（ステップＳ１０９）、現在使用中の給紙カセット１１、１２の転写紙が無くなるまで、現在使用中の給紙カセット１１、１２から給紙を継続し、転写紙が無くなった時点で、転写紙の補給された給紙カセット１１、１２に切り換えて転写紙の補給を行うようにしてもよい。
【００６２】
このようにすると、給紙カセット１１、１２内の転写紙を無駄に残すことなく、かつ、転写紙間隔を維持した状態で確実に転写紙の連続給紙を行うことができ、利用性と生産性をより一層向上させることができる。
【００６３】
また、図３では示していないが、カラー画像形成装置１は、転写紙残量検出センサが現在使用中の給紙カセット１１、１２の転写紙の残量が予め設定されている所定量以下になったことを検出したときに、現在送給中の転写紙と同一サイズの転写紙を収納する他の給紙カセット１１、１２がない場合に、当該他の給紙カセット１１、１２への当該同一サイズの転写紙の補給を促す旨のメッセージを、例えば、図５に示したように、操作表示部の表示部６０に表示出力またはスピーカから音声出力する報知処理と作像間隔を長くする作像間隔調整処理のうち、いずれの処理を行うかを予め操作表示部の処理選択キーで選択設定されていると、当該選択設定に応じて、報知処理または作像間隔調整処理を実行するようにしてもよい。
【００６４】
このようにすると、転写紙の残量が少なくなった場合に、より確実にトナー画像が無駄に形成されて、クリーニング作業が発生することを防止することができる。
【００６５】
さらに、カラー画像形成装置１は、転写紙残量検出センサが現在使用中の給紙カセット１１、１２の転写紙の残量が予め設定されている所定量以下になったことを検出し、他の給紙カセット１１、１２に現在給紙中の転写紙のサイズと同じサイズの転写紙の収納されている給紙カセット１１、１２があるときに、給紙する転写紙の転写紙間隔を広げる転写紙間隔拡大処理と上述のように当該他の給紙カセット１１、１２へ使用する給紙カセット１１、１２を変更する給紙カセット変更処理のいずれを行うかが、予め操作表示部のキー操作で選択されていると、当該選択設定に応じて、転写紙間隔拡大処理または給紙カセット変更処理を行うようにしてもよい。
【００６６】
このようにすると、転写紙の残量が少なくなった場合に、カラー画像形成装置１の利用形態に応じて、ユーザの選択に応じた処理を実行することができ、利用性を向上させることができる。
【００６７】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００６８】
連続給紙中の用紙の用紙切れ発生に対して画像形成性能を維持しつつ適切に対応する中間転写方式の複写装置、プリンタ等のタンデム型カラー画像形成装置及び当該カラー画像形成装置の画像形成制御方法に適用することができる。
【図面の簡単な説明】
【００６９】
【図１】本発明のカラー画像形成装置及び画像形成制御方法の一実施例を適用したカラー画像形成装置の要部概略構成図。
【図２】図１のカラー画像形成装置のカラーモードとモノクロモードでの像搬送距離と転写紙搬送距離の相違を示す説明図。
【図３】図１のカラー画像形成装置による給紙カセット切換処理を示すフローチャート。
【図４】図３の給紙カセット切換処理で表示部に表示する使用中給紙カセットへの用紙補給メッセージの表示状態の一例を示す図。
【図５】図３の給紙カセット切換処理で表示部に表示する他の給紙カセットへの用紙補給メッセージの表示状態の一例を示す図。
【符号の説明】
【００７０】
１  カラー画像形成装置
１０  給紙部
１１、１２  給紙カセット
１３、１４  搬送ローラ対
１５  レジストローラ対
２０  中間転写ベルト
３０Ｙ、３０Ｍ、３０Ｃ、３０Ｋ  画像形成部
３１Ｙ、３１Ｍ、３１Ｃ、３１Ｋ  感光体
３２Ｙ、３２Ｍ、３２Ｃ、３２Ｋ  現像部
４０  光書込部
５０  転写ローラ
【図１】
2007240900.tif 000003
【図２】
2007240900.tif 000004
【図３】
2007240900.tif 000005
【図４】
2007240900.tif 000006
【図５】
2007240900.tif 000007